(57)【要約】      （修正有）【課題】背筋を伸ばした姿勢で長時間腰かけても疲れることなく、背中や腰のだるさ、痛みを招くことなく、眠気を誘うこともなく、かつ背筋を伸ばした姿勢を保つのに適した座部であり、またはリラックスして腰かけることができる座部でもあり、使用者の身長などに合わせて傾斜角度を調整し、背筋を伸ばした姿勢を保つのに適した座部とすることのできる椅子の座部の改良構造及びその椅子を提供する。【解決手段】上面を座面とし、充填材と被覆層とによってなる座部本体１０と、椅子に設けられて該座部本体を支持するベース座２０と、を含んでなる椅子の座部において、該座部本体の座面が約３０度から６０度に傾斜し、該ベース座が該座部本体を揺動自在に支持する支持部材２１を具える。【選択図】図１
0003193725.tif 000002
【実用新案登録請求の範囲】
【請求項１】
上面を座面とし、充填材と被覆層とによってなる座部本体と、椅子に設けられて該座部本体を支持するベース座と、を含んでなる椅子の座部であって、
該座部本体の座面が約３０度から６０度に傾斜し、
該ベース座が支該座部本体を揺動自在に支持する支持部材を具えることを特徴とする椅子の座部。
【請求項２】
前記座部本体の両側面にそれぞれ凹溝を有し、かつ該凹溝に凸耳を回動自在に設け、該支持部材は該凸耳を回動自在に支持する板体であることを特徴とする請求項１に記載の椅子の座部。
【請求項３】
前記座部本体の座面には一体に形成される複数の凸部を有することを特徴とする請求項１に記載の椅子の座部。
【請求項４】
前記ベース座の上面は平面状を呈することを特徴とする請求項１に記載の椅子の座部。
【請求項５】
前記ベース座の前半部は平面上を呈し、後半部は前半部より低い段差面を有することを特徴とする請求項１に記載の椅子の座部。
【請求項６】
前記ベース座には支持柱が接続することを特徴とする請求項１に記載の椅子の座部。
【請求項７】
前記座部を具える椅子は４本の支持脚を具え、かつ該椅子の前方には座部傾斜角調整手段を有し、該座部傾斜角調整手段が上下に昇降し該座部本体の底部前端に当接して該座部本体の傾斜角度を調整可能にすることを特徴とする請求項１に記載の椅子の座部。
【考案の詳細な説明】
【技術分野】
【０００１】
この考案は、椅子の座部の改良構造と、該座部を応用した椅子に関する。
【背景技術】
【０００２】
従来の椅子の座部は、スポンジなどによるクッション層を布などで被覆してなる。係る座部は、人体の臀部が接触すると、軟らかい感触、快適感が得られる。このため臀部がある程度の時間、過度に圧迫を受けて血液循環の不良を招き、筋肉のだるさ、麻痺、痛みなどを感じることがない。
【０００３】
上述するように、一時的には筋肉のだるさ、麻痺、痛みなどを防ぐことができるが、やはり長時間にわたって座部に接触すると、腰や背中のだるさを招く。係る現象は、例えばデスクワークを行う事務員などにおいて、共通の経験となっている。その原因は、椅子に掛ける姿勢が正しくなく、係る状態で椅子に座る時間が長くなると人体の背中、脊髄を湾曲させ、時間が長くなると腰や背中のだるさ、痛みを招き、甚だしくは病変する。
【０００４】
一般に、椅子の座部は水平の状態を保つように取り付けられている。よって、椅子に長時間掛ける場合は、背筋、腰を伸ばした姿勢を保つことによって腰や背中のだるさ、痛みを防ぐことができる。但し、一般的に言えば、人は腰かけた姿勢を取っていると、頭部が前方へと徐々に移動する。身体も前方へと徐々に移動する。このため、猫背になってくる。このような正しくない姿勢を長時間継続すると、脊髄の位置がずれて脊髄神経を圧迫する。脊髄神経は身体の各主要な器官に情報を伝達する。但し、圧迫を受けた脊髄神経は効率よく情報を伝達することができない。このため器官の作動に影響を与える。
【０００５】
上述するように、椅子に掛ける場合正しい姿勢を保つことの重要性は周知のことであるが、正しい姿勢を保つことのできる者は少ない。その原因を考えるに、椅子の座部の不良が主な原因となっている。よって、正しい姿勢を保つための配慮を設計上に施した座部の改良が望まれている。
【考案の概要】
【考案が解決しようとする課題】
【０００６】
この考案は、背筋を伸ばした姿勢で長時間腰かけても疲れることなく、背中や腰のだるさ、痛みを招くことなく、眠気を誘うことのない椅子の座部の改良構造を提供することを課題とする。
【０００７】
また、この考案は、背筋を伸ばした姿勢を保つのに適した座部であり、またはリラックスして腰かけることができる座部でもある椅子の座部の改良構造及びその椅子を提供することを課題とする。
【０００８】
また、この考案は使用者の身長などに合わせて傾斜角度を調整し、背筋を伸ばした姿勢を保つのに適した座部とすることのできる椅子の座部の改良構造及びその椅子を提供することを課題とする。
【課題を解決するための手段】
【０００９】
そこで、本考案者は従来の椅子に見られる欠点に鑑み鋭意研究を重ねた結果、上面を座面とし、充填材と被覆層とによってなる座部本体と、椅子に設けられて該座部本体を支持するベース座と、を含んでなる椅子の座部において、該座部本体の座面が約３０度から６０度に傾斜し、該ベース座が支該座部本体を揺動自在に支持する支持部材を具える椅子の座部によって課題を解決できる点に着眼し、係る知見に基づいて本考案を完成させた。以下この考案について説明する。
【００１０】
請求項１に記載する椅子の座部は、上面を座面とし、充填材と被覆層とによってなる座部本体と、椅子に設けられて該座部本体を支持するベース座と、を含んでなる椅子の座部であって、該座部本体の座面が約３０度から６０度に傾斜し、該ベース座が支該座部本体を揺動自在に支持する支持部材を具える。
【００１１】
請求項２に記載する椅子の座部は、請求項１における座部本体の両側面にそれぞれ凹溝を形成し、かつ該凹溝に凸耳を回動自在に設け、該支持部材が該凹耳を回動自在に支持する板体である。
【００１２】
請求項３に記載する椅子の座部は、請求項１における座部本体の座面に複数の凸部を一体に形成する。
【００１３】
請求項４に記載する椅子の座部は、請求項１におけるベース座の上面が平面状を呈する。
【００１４】
請求項５に記載する椅子の座部は、請求項１におけるベース座の前半部が平面上を呈し、後半部は前半部より低い段差面を形成する。
【００１５】
請求項６に記載する椅子の座部は、請求項１におけるベース座に支持柱が接続する。
【００１６】
請求項７に記載する椅子の座部は、請求項１における座部を具える椅子が４本の支持脚を具え、かつ該椅子の前方には座部傾斜角調整手段を設け、該座部傾斜角調整手段が上下に昇降して該座部本体の底部前端に当接して該座部本体の傾斜角度を調整する。
【図面の簡単な説明】
【００１７】
【図１】この考案による座部の外観と、該座部の使用態様とを示した説明図である。
【図２】この考案における座部本体の断面構造を示した説明図である。
【図３】図１に開示する座部の側面と、該座部の使用態様とを示した説明図である。
【図４】この考案における座部本体の動作を示した説明図である。
【図５】この考案における座部本体の他の動作を示した説明図である。
【図６】この考案による椅子の座部の使用態様を示した説明図である。
【図７】この考案による椅子の座部の使用態様を示した他の説明図である。
【図８】第２の実施の形態による椅子の座部と、その使用態様を示した説明図である。
【図９】図８に開示する椅子の座部と、その使用態様を示した側面説明図である。
【図１０】第２の実施の形態による椅子の座部の動作を示した説明図である。
【図１１】第２の実施の形態による椅子の座部の他動作を示した説明図である。
【図１２】第２の実施の形態による椅子の座部の使用態様を示した説明図である。
【図１３】第２の実施の形態による椅子の座部の使用態様を示した他の説明図である。
【図１４】第３の実施の形態による椅子の座部、その使用態様を示した斜視図である。
【考案を実施するための形態】
【００１８】
この考案は、背筋を伸ばした姿勢で長時間腰かけても疲れることなく、背中や腰のだるさ、痛みを招くことなく、眠気を誘うこともなく、かつ背筋を伸ばした姿勢を保つのに適した座部であり、またはリラックスして腰かけることができる座部でもあり、使用者の身長などに合わせて傾斜角度を調整し、背筋を伸ばした姿勢を保つのに適した座部とすることのできる椅子の座部の改良構造及びその椅子を提供するものであって、その構造は、上面を座面とし、充填材と被覆層とによってなる座部本体と、椅子に設けられて該座部本体を支持するベース座と、を含んでなる椅子の座部において、該座部本体の座面が約３０度から６０度に傾斜し、該ベース座が支該座部本体を揺動自在に支持する支持部材を具える。係る椅子の座部の改良構造について、その特徴を詳述するために、具体的な実施例を挙げ、図面を参照にして以下に説明する。
【００１９】
この考案による椅子の座部の改良構造は、図１、２、３に開示するように、座部本体１０と、ベース座２０とを含んでなる。座部本体１０は腰かける際に臀部が接触する部位であって、充填材１１と、被覆層１２によってなり、座面に複数の凸部１３を一体に形成する。充填材１１は、柔軟な材質によってなるクッション層であって、被覆層１２は充填材１１を被覆してなり、通常は布、もしくは皮革によってなる。
【００２０】
ベース座２０は座部本体１０を支持し、座部本体１０が椅子の座部になる。
【００２１】
この考案による座部を応用した椅子は、支持柱２２を具える。支持柱２２は油圧シリンダであってもよい。
【００２２】
また、座部本体１０には、両側面から凹溝１４をそれぞれ形成し、かつ凹溝１４に凸耳１５を回動自在に設ける。ベース座２０の上面は平面状にする。
【００２３】
ベース座２０は支持部材２１を具え、支持部材２１によって座部本体１０を支持する。支持部材は両側面にそれぞれ設ける板体であって、座部本体１０の凸耳１５を回動自在に支持し、座部本体１０は支持部材２１によって自在に揺動運動を行うことができる。
【００２４】
座部本体１０は、座面が傾斜していて、その傾斜角度は約３０度から６０度である。即ち、座部本体１０は後端部の厚さが前端部より厚い。
【００２５】
本考案による座部、及び該座部を具える椅子は上述する構造を有し、図４、６に開示するように座部本体１０の凸耳１５をベース座２０の支持部材２１で回動自在に支持するとともに、座部本体１０とベース座２０の上面との間に所定の間隙を形成する。
【００２６】
この考案による座部を応用した椅子は、傾斜下座面の前半部に腰かけると、座部本体１０の座面が前方に向かって傾斜する。よって、身体のバランスを取るために背筋を伸ばした姿勢となり、係る背筋を伸ばした姿勢を長時間維持することができる。このため、時間が経っても疲れることなく、腰や背中の痛み、だるさが発生することなく、居眠りを誘うこともない。
【００２７】
図５、７に開示する状態は、座部本体１０の傾斜した座面の後半部に腰かけ、座部本体１０が水平に近くなった状態である。この場合、快適感が得られリラックスすることができる。このようにリラックスすることで、長時間にわたり継続してコンピュータのディスプレーを見たり、読書したりすることが避けられる。
【００２８】
第２の実施の形態は、図１、２、８、９、１０に開示するように、座部本体１０とベース座３０とを同様に含む。座部本体１０は腰かける際に臀部が接触する部位であって、充填材１１と、被覆層１２によってなり、座面に複数の凸部１３を一体に形成する。充填材１１は、柔軟な材質によってなるクッション層であって、被覆層１２は充填材１１を被覆してなり、通常は布、もしくは皮革によってなる。
【００２９】
ベース座３０は座部本体１０を支持し、座部本体１０が椅子の座部になる。
【００３０】
この考案による座部を応用した椅子は、支持柱３２を具える。支持柱３２は油圧シリンダであってもよい。
【００３１】
また、座部本体１０には、両側面から凹溝１４をそれぞれ形成し、かつ凹溝１４に凸耳１５を回動自在に設ける。ベース座３０の上面は平面状にする。
【００３２】
ベース座３０は、前半部が平面状を呈し、後半部は前半部より低い段差面３０１を形成するとともに、支持部材３１を具え、支持部材３１によって座部本体１０を支持する。支持部材は両側面にそれぞれ設ける板体であって、座部本体１０の凸耳１５を回動自在に支持し、座部本体１０は支持部材３１によって自在に揺動運動を行うことができる。
【００３３】
座部本体１０は、座面が傾斜していて、その傾斜角度は約３０度から６０度である。即ち、座部本体１０は後端部の厚さが前端部より厚い。
【００３４】
図１０、１１、１２、１３に開示するように、ベース座３０は、前半部の平面上の部分が後半部の段差面３０１より高くなっている。よって、座部本体１０の傾斜した座部の後半部に腰かけると、座部本体１０の座面は水平に近い状態となる。即ち、通常の椅子の水平な座部と同様であって、この場合、快適感が得られリラックスすることができる。このようにリラックスすることで、長時間にわたり継続してコンピュータのディスプレーを見たり、読書したりすることが避けられる。
【００３５】
第３の実施の形態は、図１４に開示するように座部は座部本体１０とベース座４０とを含んでなり、ベース座４０は座部本体１０を支持し、座部本体１０が椅子４３の座部になる。
【００３６】
また、座部本体１０には、両側面から凹溝１４をそれぞれ形成し、かつ凹溝１４に凸耳１５を回動自在に設ける。座部本体１０の座面には複数の凸部１３を一体に形成する。
【００３７】
ベース座４０は支持部材４１を具え、支持部材４１によって座部本体１０を支持する。支持部材４１は両側面にそれぞれ設ける板体であって、座部本体１０の凸耳１５を回動自在に支持し、座部本体１０は支持部材４１によって自在に揺動運動を行うことができる。
【００３８】
座部本体１０は、座面が傾斜していて、その傾斜角度は約３０度から６０度である。即ち、座部本体１０は後端部の厚さが前端部より厚い。
【００３９】
上述する座部を応用した椅子４３は、４本の支持脚４２を具える。また、椅子４３の前方には座部傾斜角調整手段４４を設ける。座部傾斜角調整手段４４は上下に昇降可能で、座部本体１０の底部前端に当接して座部本体１０の傾斜角度を調整する。よって、椅子の使用者の身長などに適合させることができる。座部傾斜角調整手段４４は、空圧シリンダで高さを調整するものであってもよい。
【００４０】
この考案による座部の改良構造及びその椅子は、次に掲げる長所を具える。即ち、座部本体１０の座面が前方に向かって傾斜していることから、該傾斜面に腰かけた場合、上半身が前傾姿勢になる。よって、身体のバランスを取るために、腰、背中、脊髄を常に伸ばすことになる。したがって座部本体に長時間腰かけていても、背筋が伸びた姿勢を維持し、猫背にはならない。即ち、姿勢を矯正し、脊髄が側面に湾曲して変形したり、病変したりすることを防ぎ、腰や背中の痛み、だるさを招かないという利点がある。
【００４１】
また、座部本体１０に複合材料を使用した場合、快適なクッションを提供することができ、臀部のうっ血、もしくは血行不良の発生率を減少させるという効果を有する。
【００４２】
また、座部本体１０の座面に複数の凸部１３を一体に形成することによって、圧力を緩和し、放熱の効果が得られ、長時間にわたって腰かけても支障を与えないという効果を有する。
【００４３】
座部本体１０の座面の傾斜角度が３０度から６０度であることから、腰かけて体重による荷重位置を前後に調整することが容易である。即ち座面の角度、座部本体１０の厚さに合わせて最適の位置に調整することができる。このため背筋を伸ばした姿勢で腰かけることができるとともに、リラックスして掛けることもでき、使用上の利便性が得られるという利点を有する。
【００４４】
調整部材４４を上下に移動させることによって、座部本体１０の底面前端に当接し、座部本体１０の傾斜角度の調整が可能になる。このため使用者の身長などに合わせて適宜に調整することができるという利点を有する。
【００４５】
以上はこの考案の好ましい実施の形態であって、この考案の実施の範囲を限定するものではない。よって、当業者の成し得る修正、もしくは変更などであって、この考案の精神の下においてなされ、この考案に対して均等の効果を有するものは、いずれもこの考案の実用新案登録請求の範囲に含まれるものとする。
【符号の説明】
【００４６】
１０     座部本体
１１     充填材
１２     被覆層
１３     凸部
１４     凹溝
１５     凸耳
２０     ベース座
２１     支持部材
２２     支持柱
３０     ベース座
３０１   段差面
３１     支持部材
３２     支持柱
４０     ベース座
４１     支持部材
４２     支持脚
４３     椅子
４４     座部傾斜角調整手段
【図１】
0003193725.tif 000003
【図２】
0003193725.tif 000004
【図３】
0003193725.tif 000005
【図４】
0003193725.tif 000006
【図５】
0003193725.tif 000007
【図６】
0003193725.tif 000008
【図７】
0003193725.tif 000009
【図８】
0003193725.tif 000010
【図９】
0003193725.tif 000011
【図１０】
0003193725.tif 000012
【図１１】
0003193725.tif 000013
【図１２】
0003193725.tif 000014
【図１３】
0003193725.tif 000015
【図１４】
0003193725.tif 000016